(57)【要約】【課題】昼間用輝度及び夜間用輝度を調整することが可能な作業機の表示装置を提供する。【解決手段】コンバイン１に関する情報を表示する表示部３１ａ・３１ｂ・３１ｃ・３１ｄ・３１ｅ・３１ｆ・３１ｇを、昼間用輝度で発光させる昼間作業モードと、表示部３１ａ・３１ｂ・３１ｃ・３１ｄ・３１ｅ・３１ｆ・３１ｇを夜間用輝度で発光させる夜間作業モードと、に切り換え可能なコンバイン１の表示装置３０であって、昼間用輝度、及び夜間用輝度を調整するための輝度操作具３２を備える。【選択図】図２
2015096044.tif 000002
【特許請求の範囲】
【請求項１】
作業機に関する情報を表示する表示部を昼間用輝度で発光させる昼間作業モードと、前記表示部を夜間用輝度で発光させる夜間作業モードと、に切り換え可能な作業機の表示装置であって、
前記昼間用輝度、及び前記夜間用輝度を調整するための輝度操作具を備えることを特徴とする、
作業機の表示装置。
【請求項２】
前記昼間作業モードのときには、前記輝度操作具により前記昼間用輝度を調整可能であり、
前記夜間作業モードのときには、前記輝度操作具により前記夜間用輝度を調整可能であることを特徴とする、
請求項１に記載の作業機の表示装置。
【請求項３】
前記表示部の輝度の大きさを表示する輝度表示部を備えることを特徴とする、
請求項２に記載の作業機の表示装置。
【請求項４】
前記作業機の作業灯の消灯時には、前記昼間作業モードに切り換えて、前記作業灯の点灯時には、前記夜間作業モードに切り換えることを特徴とする、
請求項１〜請求項３のいずれか一項に記載の作業機の表示装置。
【発明の詳細な説明】
【技術分野】
【０００１】
本発明は、作業機の表示装置に関する。
【背景技術】
【０００２】
従来、作業機の表示装置の技術は公知である（例えば、特許文献１）。
特許文献１に記載の表示装置は、昼夜指令手段にて昼間であることが指令されると点灯部を昼間用輝度で発光させ、且つ、前記昼夜指令手段にて夜間であることが指令されると前記点灯部を前記昼間用輝度よりも低い夜間用輝度で発光させるものである。
【０００３】
しかし、作業者によっては好みの明るさが異なる場合があるので、前記昼間用輝度と前記夜間用輝度を調整できるほうが好ましい。
また、天候、作業環境等によっては周囲の明るさが異なってくるので、周囲の明るさに応じて前記昼間用輝度と前記夜間用輝度を調整したいとの要請がある。特に、昼間は、作業場所への日光の入射量の違いにより明るさが大きく異なる場合があるので、前記昼間用輝度を調整したいとの要請がある。
【先行技術文献】
【特許文献】
【０００４】
【特許文献１】特開２００７−２２２０２３号公報
【発明の概要】
【発明が解決しようとする課題】
【０００５】
本発明は、昼間用輝度及び夜間用輝度を調整することが可能な作業機の表示装置を提供する。
【課題を解決するための手段】
【０００６】
請求項１に記載の作業機の表示装置は、
作業機に関する情報を表示する表示部を、昼間用輝度で発光させる昼間作業モードと、前記表示部を夜間用輝度で発光させる夜間作業モードと、に切り換え可能な作業機の表示装置であって、
前記昼間用輝度、及び前記夜間用輝度を調整するための輝度操作具を備える。
【０００７】
請求項２に記載の作業機の表示装置においては、
前記昼間作業モードのときには、前記輝度操作具により前記昼間用輝度を調整可能であり、
前記夜間作業モードのときには、前記輝度操作具により前記夜間用輝度を調整可能である。
【０００８】
請求項３に記載の作業機の表示装置においては、
前記表示部の輝度の大きさを表示する輝度表示部を備える。
【０００９】
請求項４に記載の作業機の表示装置においては、
前記作業機の作業灯の消灯時には、前記昼間作業モードに切り換えて、前記作業灯の点灯時には、前記夜間作業モードに切り換える。
【発明の効果】
【００１０】
本発明は、輝度操作具により昼間用輝度及び夜間用輝度を調整することが可能であるという効果を奏する。
【図面の簡単な説明】
【００１１】
【図１】コンバインの側面図。
【図２】コンバインの制御構成を示す図。
【図３】第一モードの表示画面を示す図。
【図４】（ａ）第二モードの表示画面を示す図、（ｂ）第二モードの表示画面を示す図。
【図５】（ａ）第二モードの表示画面を示す図、（ｂ）第二モードの表示画面を示す図。
【図６】（ａ）昼間作業モードのときの制御態様を示す模式図、（ｂ）夜間作業モードのときの制御態様を示す模式図。
【図７】制御装置による表示画面の表示の制御を示すフローチャート。
【発明を実施するための形態】
【００１２】
まず、作業機（コンバイン１）について説明した後に、作業機（コンバイン１）の表示装置３０について説明する。なお、作業機は、本実施形態のコンバイン１に限定されるものではなく、トラクタ、バックホー等の他の作業機であってもよい。
【００１３】
図１及び図２に示すように、コンバイン１には、機体フレーム３に対して、走行部２、作業装置である刈取部５、脱穀部９、選別部１０、穀粒貯溜部１１及び操縦部１４等が備えられる。
【００１４】
走行部２は、機体を前進又は後進方向に走行させるものである。走行部２は、機体フレーム３の下部に設けられる。走行部２は、左右一対のクローラを有するクローラ式走行装置４から構成される。走行部２には、機体の走行速度を検出する走行速度センサー２０が設けられる（図２参照）。
【００１５】
刈取部５は、圃場の穀稈を刈り取るものである。刈取部５は、機体フレーム３の前端部（機体の前部）に機体に対して昇降可能に設けられる。刈取部５は、圃場の穀稈を引起装置６により引き起こし、引起後の穀稈の株元を切断装置７により切断し、切断後の穀稈を切断装置８により脱穀部９側へ搬送するように構成される。
【００１６】
脱穀部９は、穀稈を脱穀するものである。脱穀部９は、機体フレーム３の左側前部であって、刈取部５の後方に設けられる。脱穀部９は、刈取部５から搬送される穀稈を受け継いで、搬送中の穀稈を前記扱胴等により脱穀し、その脱穀処理物を選別部１０へ落下させるように構成される。脱穀部９には、脱穀部９の負荷を検出する脱穀部負荷センサー２４が設けられる（図２参照）。
【００１７】
選別部１０は、脱穀物を穀粒と藁屑等とに選別するものである。選別部１０は、機体フレーム３の左側部であって、脱穀部９の下方に設けられる。選別部１０は、脱穀部９から落下した処理物を揺動選別装置により揺動選別及び風選別により、穀粒、穂付粒、未脱粒、藁屑及び塵埃等に選別する。そして、選別部１０は、選別した穀粒を穀粒貯溜部１１へ搬送し、穂付粒及び未脱粒を脱穀部９へ搬送し、排屑及び塵埃等を外部へ排出するように構成される。選別部１０には、選別部１０の負荷を検出する選別部負荷センサー２５が設けられる（図２参照）。
【００１８】
穀粒貯溜部１１は、脱穀、選別された穀粒を貯溜するものである。穀粒貯溜部１１は、機体フレーム３の右側後部であって、脱穀部９及び選別部１０の右側方に設けられる。穀粒貯溜部１１は、グレンタンク１２と、排出オーガ１３等とから構成される。穀粒貯溜部１１は、選別部１０から搬送されてくる穀粒をグレンタンク１２に貯溜するとともに、グレンタンク１２に貯溜される穀粒を排出オーガ１３により機体の外部へ排出するように構成される。グレンタンク１２には、穀粒貯留量を検出する重量センサー２３が設けられる（図２参照）。
【００１９】
コンバイン１には、コンバイン１の前方を照らす作業灯（ヘッドライト）２７が設けられる。夜間において、作業者はヘッドライト２７を点灯させて、ヘッドライト２７により刈取部５の周辺を照らしながら作業を行うことが可能である。
【００２０】
操縦部１４は、作業者によるコンバイン１の操縦が行われる。操縦部１４は、機体フレーム３の右側前部であって、刈取部５の右側方に設けられる。操縦部１４は、キャビン１５内に操縦席１６を中心にしてその周辺にコンバイン１を操作する操作具１７や表示装置３０（図２参照）が配置される。また、操作具１７からの信号によりエンジン１８や各作業装置を制御するＥＣＵ１９（図２参照）が設けられる。
また、操縦部１４には、ヘッドライト２７の点灯・消灯を行うためのヘッドライト操作具２８が設けられている。なお、本実施形態では、作業者がヘッドライト操作具２８を操作して、手動でヘッドライト２７の点灯・消灯を行う構成とするが、これに限定されず、ヘッドライト２７がセンサー類を用いて周囲の明るさを判断して、周囲の明るさに合わせて自動で点灯・消灯を行うように構成してもよい。
また、操縦部１４には、コンバイン１を始動・停止させるためのキースイッチ２９が設けられている（図２参照）。
【００２１】
図２に示すように、ＥＣＵ１９は、エンジン１８や各種作業装置等を制御するものである。ＥＣＵ１９は、エンジン１８や各作業装置等を制御するために種々のプログラムが格納される。また、ＥＣＵ１９は、これらのプログラム等に従って所定の演算を行うことができ、当該演算の結果等を記憶することができる。
【００２２】
ＥＣＵ１９は、走行速度センサー２０、回転速度センサー２１、燃料残量計２２、重量センサー２３、脱穀部負荷センサー２４、選別部負荷センサー２５、及び変速装置２６に接続されており、各センサー等から様々な情報を取得することが可能である。
【００２３】
ＥＣＵ１９は、エンジン１８（エンジン１８に設けられる図示しない各種センサーや燃料噴射装置）に接続されており、各種センサーからの信号を取得し、エンジン１８を制御することが可能である。
【００２４】
ＥＣＵ１９は、キースイッチ２９に接続されており、キースイッチ２９がＯＦＦ位置に操作されているときにはＥＣＵ１９への通電が停止され、キースイッチ２９がＯＮ位置に操作されているときには、ＥＣＵ１９が通電される。
【００２５】
コンバイン１は、操縦部１４での操作具類の操作によって、エンジン１８の動力を各作業装置に伝達して、走行部２にて機体を走行させながら、刈取部５で圃場の穀稈を刈り取り、脱穀部９で刈取部５からの穀稈を脱穀し、選別部１０で脱穀部９からの処理物を選別して、穀粒貯溜部１１で選別部１０からの穀粒を貯溜すると同時に脱穀部９からの排藁を外部へ排出することができるように構成される。
【００２６】
次に、図２と図３とを用いてコンバイン１の表示装置３０について具体的に説明する。
【００２７】
図２に示すように、コンバイン１の表示装置３０は、表示画面３１、制御装置３３、及び輝度操作具３２を有する。
表示画面３１は、コンバイン１の操縦部１４に設けられており、コンバイン１の操縦席１６に着座している者が視認可能な位置に配置される。なお、表示画面３１をタッチパネルで構成した場合には、表示画面３１は、コンバイン１の操縦席１６に着座している者が視認可能、かつ、パネル操作可能な位置に配置される。
【００２８】
図３に示すように、表示画面３１内には、コンバイン１に関する情報を表示する表示部３１ａ・３１ｂ・３１ｃ・３１ｄ・３１ｅ・３１ｆ・３１ｇが配置される。
【００２９】
表示画面３１内の略中央には、走行速度が数値で表示される走行速度表示部３１ａが配置される。
【００３０】
表示画面３１内における走行速度表示部３１ａの上方には、エンジン１８の回転速度が表示される回転速度表示部３１ｂが配置される。回転速度表示部３１ｂは、円弧状のメーターを模した図形によって構成される。
【００３１】
表示画面３１内における左側には、グレンタンク１２の穀粒貯留量が表示される穀粒貯留量表示部３１ｃが配置される。穀粒貯留量表示部３１ｃは、グレンタンク１２を模した図形に基準となる単位目盛りが付されて構成される。
【００３２】
表示画面３１内における右側には、燃料残量が表示される燃料残量表示部３１ｄが配置される。燃料残量表示部３１ｄは、穀粒貯留量表示部３１ｃと同様にレベルゲージを模した図形に基準となる単位目盛りが付されて構成される。
【００３３】
表示画面３１内における走行速度表示部３１ａの下方には、脱穀部９にかかる負荷に関する情報を、レベルゲージを模した図形で表示する脱穀部表示部３１ｅが配置される。
【００３４】
表示画面３１内における脱穀部表示部３１ｅの右方には、選別部１０にかかる負荷に関する情報を、レベルゲージを模した図形で表示する選別部表示部３１ｆが配置される。
【００３５】
表示画面３１内における脱穀部表示部３１ｅと選別部表示部３１ｆとの下方には、運転時間、変速装置２６の状態及び各種警報を数値や文字で表示する情報表示部３１ｇが配置される。
【００３６】
なお、表示画面３１内に表示されるコンバイン１に関する情報は、本実施形態におけるものに限定されず、他の種類の情報であってもよい。
【００３７】
また、表示画面３１に関しては、第一モードと、第二モードと、に切り替え可能に構成されている。図３は、第一モードの表示画面３１を示している。第一モードの表示画面３１内には、上記したように、表示部３１ａ・３１ｂ・３１ｃ・３１ｄ・３１ｅ・３１ｆ・３１ｇが配置される。図４（ａ）〜図５（ｂ）は、第二モードの表示画面３１を示している。第二モードの表示画面３１内には、表示部３１ａ・３１ｂ・３１ｃ・３１ｄ・３１ｅ・３１ｆ・３１ｇの輝度の大きさを表示する輝度表示部３１ｈが配置される。本実施形態では、輝度表示部３１ｈが、表示部３１ａ・３１ｂ・３１ｃ・３１ｄ・３１ｅ・３１ｆ・３１ｇの輝度を数字で表示することとする。なお、輝度表示部３１ｈが、表示部３１ａ・３１ｂ・３１ｃ・３１ｄ・３１ｅ・３１ｆ・３１ｇの輝度を、レベルゲージを模した図形等で表示するように構成してもよい。
第一モードと第二モードの画面切り換えは、例えば、表示画面３１内に表示されるアイコンの操作や、表示画面３１の近傍に設けられるボタン類の操作によって行われる。
なお、第一モードの表示画面３１内に、輝度表示部３１ｈを配置するように構成してもよい。
【００３８】
輝度操作具３２は、昼間用輝度、及び夜間用輝度を調整（変更）するための操作具である。
昼間用輝度及び夜間用輝度は、表示部３１ａ・３１ｂ・３１ｃ・３１ｄ・３１ｅ・３１ｆ・３１ｇの輝度である。
昼間用輝度が適正な値に調整されることによって、昼間作業時において、表示部３１ａ・３１ｂ・３１ｃ・３１ｄ・３１ｅ・３１ｆ・３１ｇが明るく表示され、作業者が表示部３１ａ・３１ｂ・３１ｃ・３１ｄ・３１ｅ・３１ｆ・３１ｇの表示内容を確認しやすくなる。また、夜間用輝度が適正な値に調整されることによって、夜間作業時において、表示部３１ａ・３１ｂ・３１ｃ・３１ｄ・３１ｅ・３１ｆ・３１ｇの明るさが抑えられ、その結果、表示画面３１のウィンドガラスへの映り込みが抑制されるので、作業者が表示部３１ａ・３１ｂ・３１ｃ・３１ｄ・３１ｅ・３１ｆ・３１ｇの表示内容を確認しやすくなる。
輝度操作具３２は、例えば、ダイヤル式の操作具や、ボタン式の操作具で構成される。輝度操作具３２は、コンバイン１の操縦部１４に設けられており、コンバイン１の操縦席１６に着座している者が操作可能な位置に配置される。なお、表示画面３１をタッチパネルで構成した場合には、輝度操作具３２を、表示画面３１内に表示されるアイコンで構成してもよい。
【００３９】
図５（ａ）に示すように、ヘッドライト２７が消灯している状態では、表示部３１ａ・３１ｂ・３１ｃ・３１ｄ・３１ｅ・３１ｆ・３１ｇが昼間用輝度で発光される（昼間作業モード）。そして、輝度操作具３２が操作された場合には、輝度操作具３２の操作量に対応して昼間用輝度が変更される。例えば、昼間用輝度がＡの状態から、ダイヤル式の輝度操作具３２がα°回動された場合には、昼間用輝度がＡ＋Ｂに変更され、ダイヤル式の輝度操作具３２が２α°回動された場合には、昼間用輝度がＡ＋２Ｂに変更されるように構成される。
図５（ｂ）に示すように、ヘッドライト２７が点灯している状態では、表示部３１ａ・３１ｂ・３１ｃ・３１ｄ・３１ｅ・３１ｆ・３１ｇが夜間用輝度で発光される（夜間作業モード）。そして、輝度操作具３２が操作された場合には、輝度操作具３２の操作量に対応して夜間用輝度が変更される。
【００４０】
図２及び図３に示すように、制御装置３３は、表示画面３１に接続されており、表示画面３１の表示を制御することが可能である。
また、制御装置３３は、表示画面３１のバックライトの輝度、又は表示部３１ａ・３１ｂ・３１ｃ・３１ｄ・３１ｅ・３１ｆ・３１ｇを構成する画素の輝度を変更することによって、表示部３１ａ・３１ｂ・３１ｃ・３１ｄ・３１ｅ・３１ｆ・３１ｇの輝度を調整（変更）することが可能である。
【００４１】
制御装置３３は、ＥＣＵ１９を介して走行速度センサー２０に接続されており、走行速度センサー２０から信号を受信して、機体の走行速度を把握することが可能である。そして、制御装置３３は、把握した機体の走行速度を、表示画面３１内の走行速度表示部３１ａにて数値により表示する。
【００４２】
制御装置３３は、ＥＣＵ１９を介して回転速度センサー２１に接続されており、回転速度センサー２１から信号を受信して、エンジン１８の回転速度を把握することが可能である。そして、制御装置３３は、把握したエンジン１８の回転速度を、表示画面３１内の回転速度表示部３１ｂにて、対応する目盛り部分を点灯させることにより表示する。
【００４３】
制御装置３３は、ＥＣＵ１９を介して重量センサー２３に接続されており、重量センサー２３から信号を受信して、グレンタンク１２内の穀粒貯留量を把握することが可能である。そして、制御装置３３は、把握した穀粒貯留量を、表示画面３１内の穀粒貯留量表示部３１ｃにて、対応する単位目盛り間に所定の図形を点灯させることにより表示する。
【００４４】
制御装置３３は、ＥＣＵ１９を介して燃料残量計２２に接続されており、燃料残量計２２から信号を受信して、燃料タンク内の燃料残量を把握することが可能である。そして、制御装置３３は、把握した燃料残量を、表示画面３１内の燃料残量表示部３１ｄにて、対応する単位目盛り間に所定の図形を点灯させることにより表示する。
【００４５】
制御装置３３は、ＥＣＵ１９を介して脱穀部負荷センサー２４に接続されており、脱穀部負荷センサー２４から信号を受信して、脱穀部９にかかる負荷を把握することが可能である。そして、制御装置３３は、把握した脱穀部９にかかる負荷を、表示画面３１内の脱穀部表示部３１ｅにて、対応する領域に所定の図形を点灯させることにより表示する。
【００４６】
制御装置３３は、ＥＣＵ１９を介して選別部負荷センサー２５に接続されており、選別部負荷センサー２５から信号を受信して、選別部１０にかかる負荷を把握することが可能である。そして、制御装置３３は、把握した選別部１０にかかる負荷を、表示画面３１内の選別部表示部３１ｆにて、対応する領域に所定の図形を点灯させることにより表示する。
【００４７】
制御装置３３は、ＥＣＵ１９から運転時間、変速装置２６の変速段、及び各種警報に関する情報を取得することが可能である。そして、制御装置３３は、取得した当該情報を、表示画面３１内の情報表示部３１ｇにて、数値や文字によって表示する。
【００４８】
制御装置３３は、ヘッドライト操作具２８（又はヘッドライト２７）に接続されており、ヘッドライト２７が消灯しているか、又は点灯しているかを判断することが可能である。
【００４９】
制御装置３３は、キースイッチ２９に接続されており、キースイッチ２９がＯＦＦ位置に操作れているときには制御装置３３への通電が停止され、キースイッチ２９がＯＮ位置に操作されているときには、制御装置３３が通電される。
【００５０】
制御装置３３には、昼間用輝度の初期値Ｘ０に関する情報と、夜間用輝度の初期値Ｙ０に関する情報と、が記憶されている。
昼間用輝度Ｘ０と夜間用輝度Ｙ０は、作業者等によって予め決められている。
【００５１】
以下では、制御装置３３による表示画面３１の表示の制御手順について図７を参照して説明する。
【００５２】
ステップＳ１において、作業者がキースイッチ２９をＯＦＦ位置からＯＮ位置に操作する。これにより、ＥＣＵ１９及び制御装置３３が通電される。
【００５３】
ステップＳ２において、制御装置３３は、ヘッドライト操作具２８から信号を受信して、ヘッドライト２７が消灯しているか、又は点灯しているかを判断する。
制御装置３３によりヘッドライト２７が消灯していると判断された場合には、ステップＳ３（昼間作業モード）に移行する。
制御装置３３によりヘッドライト２７が点灯していると判断された場合には、ステップＳ８（夜間作業モード）に移行する。
【００５４】
ステップＳ３において、制御装置３３は、表示部３１ａ・３１ｂ・３１ｃ・３１ｄ・３１ｅ・３１ｆ・３１ｇを、昼間用輝度Ｘ０で発光させる（昼間作業モード）。
【００５５】
ステップＳ４において、その後、制御装置３３は、輝度操作具３２が操作されたか否かを判定する。
輝度操作具３２が操作されない場合には（ステップＳ４、Ｎｏ）、ステップＳ５に移行する。
輝度操作具３２が操作された場合には（ステップＳ４、Ｙｅｓ）、ステップＳ６に移行する。
【００５６】
ステップＳ５において、昼間作業モードの状態で、輝度操作具３２が操作されない場合には、昼間用輝度がＸ０のままで変わらず、その結果、表示部３１ａ・３１ｂ・３１ｃ・３１ｄ・３１ｅ・３１ｆ・３１ｇが、昼間用輝度Ｘ０で発光し続ける。
このとき、作業者が、表示画面３１を第二モードに切り換えると、輝度表示部３１ｈには、昼間用輝度の値であるＸ０が表示される（図４（ａ）参照）。
【００５７】
ステップＳ６において、昼間作業モードの状態で、作業者により輝度操作具３２が操作された場合には、制御装置３３は、輝度操作具３２の操作量に対応させて昼間用輝度Ｘ０を調整（変更）する（図６（ａ）参照）。本実施形態では、昼間用輝度がＸ０からＸ１に変更されたこととする。その結果、表示部３１ａ・３１ｂ・３１ｃ・３１ｄ・３１ｅ・３１ｆ・３１ｇが、変更後の昼間用輝度Ｘ１で発光する。
なお、作業者が、表示画面３１を第二モードに切り換えた状態で、輝度操作具３２を操作して、昼間用輝度を調整すると、輝度表示部３１ｈには、調整中の昼間用輝度の値Ｘ’が表示される（図４（ｂ）参照）。これにより、作業者は、輝度表示部３１ｈで昼間用輝度の大きさを確認しながら、輝度操作具３２を操作して昼間用輝度を調整することが可能となる。
【００５８】
ステップＳ７において、作業者がキースイッチ２９を前記ＯＦＦ位置に操作すると、ＥＣＵ１９及び制御装置３３への通電が停止される。
【００５９】
ステップＳ８において、制御装置３３は、表示部３１ａ・３１ｂ・３１ｃ・３１ｄ・３１ｅ・３１ｆ・３１ｇを、夜間用輝度Ｙ０で発光させる（夜間作業モード）。
【００６０】
ステップＳ９において、その後、制御装置３３は、輝度操作具３２が操作されたか否かを判定する。
輝度操作具３２が操作されない場合には（ステップＳ９、Ｎｏ）、ステップＳ１０に移行する。
輝度操作具３２が操作された場合には（ステップＳ９、Ｙｅｓ）、ステップＳ１１に移行する。
【００６１】
ステップＳ１０において、夜間作業モードの状態で、輝度操作具３２が操作されない場合には、夜間用輝度がＹ０のままで変わらず、その結果、表示部３１ａ・３１ｂ・３１ｃ・３１ｄ・３１ｅ・３１ｆ・３１ｇが、夜間用輝度Ｙ０で発光し続ける。
このとき、作業者が、表示画面３１を第二モードに切り換えると、輝度表示部３１ｈには、夜間用輝度の値であるＹ０が表示される（図５（ａ）参照）。
【００６２】
ステップＳ１１において、夜間作業モードの状態で、作業者により輝度操作具３２が操作された場合には、制御装置３３は、輝度操作具３２の操作量に対応させて夜間用輝度Ｙ０を調整（変更）する（図６（ｂ）参照）。本実施形態では、夜間用輝度がＹ０からＹ１に変更されたこととする。その結果、表示部３１ａ・３１ｂ・３１ｃ・３１ｄ・３１ｅ・３１ｆ・３１ｇが、変更後の夜間用輝度Ｙ１で発光する。
なお、作業者が、表示画面３１を第二モードに切り換えた状態で、輝度操作具３２を操作して、夜間用輝度を調整すると、輝度表示部３１ｈには、調整中の夜間用輝度の値Ｙ’が表示される（図５（ｂ）参照）。これにより、作業者は、輝度表示部３１ｈで夜間用輝度の大きさを確認しながら、輝度操作具３２を操作して夜間用輝度を調整することが可能となる。
【００６３】
ステップＳ１２において、作業者がキースイッチ２９を前記ＯＦＦ位置に操作すると、ＥＣＵ１９及び制御装置３３への通電が停止される。
【００６４】
以上のように構成することで、輝度操作具３２により昼間用輝度及び夜間用輝度を調整（変更）することが可能となる。
【００６５】
また、前記ステップＳ６、及び前記ステップＳ１１に示すように、昼間作業モードのときには、輝度操作具３２により昼間用輝度を調整可能であり、夜間作業モードのときには、輝度操作具３２により夜間用輝度を調整可能である（図６（ａ）及び図６（ｂ）参照）。
これにより、作業者が輝度操作具３２により昼間用輝度（夜間用輝度）を調整する際に、輝度操作具３２の操作に合わせて、表示部３１ａ・３１ｂ・３１ｃ・３１ｄ・３１ｅ・３１ｆ・３１ｇの明るさが変わるので、作業者が輝度の調整を視覚的に確認しながら行うことが可能である。
また、作業者は、単一の輝度操作具３２で昼間用輝度と夜間用輝度を調整でき、調整のための操作を簡単に行うことが可能である。
【００６６】
また、コンバイン１の表示装置３０は、表示部３１ａ・３１ｂ・３１ｃ・３１ｄ・３１ｅ・３１ｆ・３１ｇの輝度の大きさを表示する輝度表示部３１ｈを備える（図４（ａ）及び図５（ｂ）参照）。
これにより、前記ステップＳ６（前記ステップＳ１１）に示すように、作業者は、輝度表示部３１ｈで昼間用輝度（夜間用輝度）の大きさを確認しながら、輝度操作具３２を操作して昼間用輝度（夜間用輝度）を調整することが可能となる。
【００６７】
また、前記ステップＳ２に示すように、コンバイン１のヘッドライト２７の消灯時には、昼間作業モードに切り換えて、ヘッドライト２７の点灯時には、夜間作業モードに切り換える。
これにより、ヘッドライト２７の点灯・消灯に対応させて、自動的に昼間作業モードと夜間作業モードとの切り換えを行うことが可能である。
【００６８】
なお、本実施形態では、ヘッドライト２７の点灯・消灯と対応させて、昼間作業モードと夜間作業モードとの切り換えを行うように構成したが、これに限定されず、ヘッドライト２７の点灯・消灯とは無関係に切り換えを行うように構成してもよい。
例えば、コンバイン１の周囲の明るさを検出するセンサーを設けて、当該センサーの検出結果に基づいて、昼間作業モードと夜間作業モードとの切り換えを行うように構成してもよい。
【符号の説明】
【００６９】
１      コンバイン
３０    表示装置
３１ａ・３１ｂ・３１ｃ・３１ｄ・３１ｅ・３１ｆ・３１ｇ  表示部
３３    輝度操作具
【図１】
2015096044.tif 000003
【図２】
2015096044.tif 000004
【図３】
2015096044.tif 000005
【図４】
2015096044.tif 000006
【図５】
2015096044.tif 000007
【図６】
2015096044.tif 000008
【図７】
2015096044.tif 000009